(57)【要約】      （修正有）【課題】使い勝手を向上する。【解決手段】現金自動預払機の紙幣入出金機は、紙幣に関する取引を受け付ける応対部と、内部空間と外部とを連通させる前側に形成された筐体開口部を開閉可能な前面扉が形成された筐体と、前記筐体の内部に対し引き出し及び収納可能に形成された上部ユニット及び下部ユニット１０Ｌと、前記上部ユニット及び前記下部ユニットの少なくとも何れか一方である前記下部ユニットに設けられ、ドライブローラ４８を回転させることにより媒体を搬送する搬送機構２４と、前記下部ユニットにおける開口側の端部近傍に設けられ、前記ドライブローラを回転させるノブ付きプーリ４４とを設ける。【選択図】図５
2019204220.tif 000002
【特許請求の範囲】
【請求項１】
内部空間と外部とを連通させる開口側に形成された開口部を開閉可能な扉が形成された筐体と、
前記筐体の内部に対し引き出し及び収納可能に形成された複数のユニットと、
前記複数のユニットの少なくとも何れか一方に設けられ、ローラを回転させることにより媒体を搬送する搬送部と、
前記ユニットにおける前記開口側の端部近傍に設けられ、前記ローラを回転させるローラ手動駆動部と
を有する媒体処理装置。
【請求項２】
前記ローラは、前記ユニット同士の間で前記媒体を受け渡す接続部の近傍に設けられ、前記ユニット同士の間で前記媒体を受け渡す際に回転する
請求項１に記載の媒体処理装置。
【請求項３】
前記接続部は、前記ユニットにおける前記開口側の端部近傍に設けられる
請求項２に記載の媒体処理装置。
【請求項４】
前記ローラは、ドライブシャフトを中心に回転しアイドルローラを連れ回すドライブローラであり、
前記ローラ手動駆動部は、前記ドライブシャフトと同軸に設けられた操作ノブである
請求項２に記載の媒体処理装置。
【請求項５】
前記操作ノブは、前記ドライブシャフトを回転させるプーリと一体に形成される
請求項４に記載の媒体処理装置。
【請求項６】
前記ローラ手動駆動部は、前記開口側から使用者が触手により直接操作可能な箇所に設けられる
請求項１に記載の媒体処理装置。
【請求項７】
前記ローラ手動駆動部は、前記媒体処理装置の保守面側に設けられる
請求項１に記載の媒体処理装置。
【請求項８】
前記ローラ手動駆動部を覆い、前記ローラ手動駆動部の少なくとも前記開口側を露出させるカバー開口部が形成されたカバー
をさらに有する請求項１に記載の媒体処理装置。
【請求項９】
前記カバーは、前記ローラ手動駆動部の前記開口側と保守面側とを露出させる
請求項８に記載の媒体処理装置。
【請求項１０】
前記ローラ手動駆動部は、前記複数のユニットの両方に設けられる
請求項１に記載の媒体処理装置。
【請求項１１】
紙葉状の媒体に関する取引を受け付ける利用者応対部と、
内部空間と外部とを連通させる開口側に形成された開口部を開閉可能な扉が形成された筐体と、
前記筐体の内部に対し引き出し及び収納可能に形成された複数のユニットと、
前記複数のユニットの少なくとも何れか一方に設けられ、ローラを回転させることにより前記媒体を搬送する搬送部と、
前記ユニットにおける前記開口側の端部近傍に設けられ、前記ローラを回転させるローラ手動駆動部と
を有する媒体取引装置。
【発明の詳細な説明】
【技術分野】
【０００１】
本発明は媒体処理装置及び媒体取引装置に関し、例えば紙幣のような紙葉状の媒体を投入して所望の取引を行う現金自動預払機（ＡＴＭ：Automatic Teller Machine）等に適用して好適なものである。
【背景技術】
【０００２】
従来、金融機関等で使用される現金自動預払機においては、使用者（金融機関の顧客等）との取引内容に応じて、例えば該使用者に紙幣や硬貨等の現金を入金させる入金取引や、使用者へ現金を出金する出金取引等の各種取引を行う。また現金自動預払機の種類として、ある取引において使用者から入金された紙幣を次回以降の取引において再利用して他の使用者へ出金する、いわゆるリサイクル型（又は環流型）と呼ばれるものがある。
【０００３】
このようなリサイクル型の現金自動預払機として、例えば紙幣の入出金に関する処理を行う紙幣入出金機を搭載したものがある（例えば、特許文献１参照）。この紙幣入出金機は、例えば使用者との間で紙幣の授受を行う接客部と、紙幣を搬送する搬送部と、投入された紙幣の金種及び真偽等を鑑別する鑑別部と、投入された紙幣を一時的に保留する一時保留部とを有している。また紙幣入出金機は、再利用可能な紙幣を金種ごとに分けて収納する紙幣収納庫と、再利用すべきでない紙幣を収納するリジェクト庫とを有している。
【０００４】
そのような現金自動預払機には、現金自動預払機の筐体に対しそれぞれ引き出し可能に形成され互いに物理的に独立した上部ユニットと下部ユニットとを有するものがある。上部ユニットは、例えば接客部、鑑別部、一時保留部及びリジェクト庫を内蔵している。下部ユニットは、例えば紙幣収納庫を内蔵している。現金自動預払機の筐体内に格納された状態において、上部ユニットと下部ユニットとは、互いの搬送路間で紙幣を受け渡す。
【先行技術文献】
【特許文献】
【０００５】
【特許文献１】特開２０１３−１７４９４６号公報
【発明の概要】
【発明が解決しようとする課題】
【０００６】
そのような現金自動預払機においては、上部ユニットと下部ユニットとの両方のユニット間にまたがって紙幣が残留している場合、上部ユニット又は下部ユニットを筐体から引き出すと紙幣が破けてしまう可能性があるため、上部ユニット又は下部ユニットを筐体から引き出すことができず、ジャム紙幣を除去する復旧作業ができないおそれがあった。
【０００７】
本発明は以上の点を考慮してなされたもので、使い勝手を向上し得る媒体処理装置及び媒体取引装置を提案しようとするものである。
【課題を解決するための手段】
【０００８】
かかる課題を解決するため本発明の媒体処理装置においては、内部空間と外部とを連通させる開口側に形成された開口部を開閉可能な扉が形成された筐体と、筐体の内部に対し引き出し及び収納可能に形成された複数のユニットと、複数のユニットの少なくとも何れか一方に設けられ、ローラを回転させることにより媒体を搬送する搬送部と、ユニットにおける開口側の端部近傍に設けられ、ローラを回転させるローラ手動駆動部とを設けるようにした。
【０００９】
また本発明の媒体取引装置においては、紙葉状の媒体に関する取引を受け付ける利用者応対部と、内部空間と外部とを連通させる開口側に形成された開口部を開閉可能な扉が形成された筐体と、筐体の内部に対し引き出し及び収納可能に形成された複数のユニットと、複数のユニットの少なくとも何れか一方に設けられ、ローラを回転させることにより媒体を搬送する搬送部と、ユニットにおける開口側の端部近傍に設けられ、ローラを回転させるローラ手動駆動部とを設けるようにした。
【００１０】
本発明は、開口側から容易にローラ手動駆動部を作業者に操作させることにより搬送部のローラを回転させてジャム媒体を搬送部において移動させ複数のユニット間にまたがらない状態にし、ジャム媒体が残留している側のユニットを筐体から引き出させてジャム媒体を除去させることができる。
【発明の効果】
【００１１】
本発明によれば、開口側から容易にローラ手動駆動部を作業者に操作させることにより搬送部のローラを回転させてジャム媒体を搬送部において移動させ複数のユニット間にまたがらない状態にし、ジャム媒体が残留している側のユニットを筐体から引き出させてジャム媒体を除去させることができ、かくして使い勝手を向上し得る媒体処理装置及び媒体取引装置を実現できる。
【図面の簡単な説明】
【００１２】
【図１】現金自動預払機の外観構成を示す斜視図である。
【図２】紙幣入出金機の内部構成を示す左側面図である。
【図３】紙幣入出金機における上部ユニット及び下部ユニットの引出を示す左側面図である。
【図４】カバー装着状態の下部ユニットの構成を示し、（Ａ）は平面図、（Ｂ）は左側面図、（Ｃ）は正面図である。
【図５】カバー離脱状態の下部ユニットの構成を示し、（Ａ）は平面図、（Ｂ）は左側面図、（Ｃ）は正面図である。
【発明を実施するための形態】
【００１３】
以下、発明を実施するための形態（以下実施の形態とする）について、図面を用いて説明する。
【００１４】
［１．実施の形態］
［１−１．現金自動預払機の全体構成］
図１に外観を示すように現金自動預払機１は、箱状の筐体２を中心に構成されており、例えば金融機関や各種商業施設等に設置され、使用者（すなわち金融機関や商業施設の顧客等）との間で、入金処理や出金処理等の現金に関する取引を行う。
【００１５】
筐体２は、その前側に使用者が対峙した状態で紙幣の投入やタッチパネルによる操作等をしやすい箇所に応対部３が設けられている。応対部３は、カード入出口４、入出金口５、操作表示部６、テンキー７及びレシート発行口８が設けられており、使用者との間で例えば現金やカード等を直接やり取りすると共に、取引に関する情報の通知や操作指示の受付を行う。
【００１６】
カード入出口４は、キャッシュカード等の各種カードが挿入又は排出される部分である。カード入出口４の奥側には、各種カードに磁気記録された口座番号等の読み取りを行うカード処理部（図示せず）が設けられている。入出金口５は、使用者によって入金される紙幣が投入されると共に、使用者へ出金する紙幣が排出される部分である。また入出金口５は、シャッタを駆動することにより開放又は閉塞する。
【００１７】
操作表示部６は、取引に際して操作画面を表示するＬＣＤ（Liquid Crystal Display）と、取引の種類の選択、暗証番号や取引金額等を入力するタッチセンサとが一体化されたタッチパネルとなっている。テンキー７は、「０」〜「９」の数字等の入力を受け付ける物理キーであり、暗証番号や取引金額等の入力操作時に用いられる。レシート発行口８は、取引処理の終了時に取引内容等を印字したレシートを発行する部分である。因みにレシート発行口８の奥側には、レシートに取引内容等を印字するレシート処理部（図示せず）が設けられている。
【００１８】
筐体２は、該筐体２により囲まれた内部空間と外部とを連通させる筐体開口部２Ａが前面側に形成され、筐体開口部２Ａを開閉可能な前面扉２Ｄが開口側である前面側に設けられている。筐体２は、顧客との間で取引処理が行われる取引動作時の場合には前面扉２Ｄを閉鎖することにより、現金自動預払機１の内部を保護する。一方、筐体２は、保守員や金融機関の行員等の作業者により保守作業が行われる保守作業時の場合には、必要に応じて前面扉２Ｄを開放することにより、内部の各部に対する作業を容易に行わせ得る。
【００１９】
現金自動預払機１は、保守作業が行われる保守面が左面側となっており、保守作業時には、前面扉２Ｄが開放され、後述する下部ユニット１０Ｌ又は上部ユニット１０Ｕ（図２）が筐体２から引き出され、下部ユニット１０Ｌ又は上部ユニット１０Ｕ（図２）に対し左面側から保守作業が行われる。この現金自動預払機１においては、一度に筐体２から引き出されるのは上部ユニット１０Ｕ又は下部ユニット１０Ｌの何れか一方のみとなっており、上部ユニット１０Ｕ及び下部ユニット１０Ｌの両方が筐体２から同時に引き出された状態にはならないようになっている。
【００２０】
以下では、現金自動預払機１のうち使用者が対峙する側を前側とし、その反対を後側とし、該前側に対峙した使用者から見て左及び右をそれぞれ左側及び右側とし、さらに上側及び下側を定義して説明する。
【００２１】
筐体２の内部には、現金自動預払機１全体を統括制御する主制御部９や、紙幣に関する種々の処理を行う紙幣入出金機１０等が設けられている。主制御部９は、図示しないＣＰＵ（Central Processing Unit）を中心に構成されており、図示しないＲＯＭ（Read Only Memory）やフラッシュメモリ等から所定のプログラムを読み出して実行することにより、入金処理や出金処理等の種々の処理を行う。また主制御部９は、内部にＲＡＭ（Random Access Memory）、ハードディスクドライブやフラッシュメモリ等でなる記憶部を有しており、この記憶部に種々の情報を記憶させる。
【００２２】
［１−２．紙幣入出金機の構成］
図２に示すように媒体処理装置としての紙幣入出金機１０は、内部に紙幣に関する種々の処理を行う複数の部分が組み込まれている。この紙幣は、例えば紙や樹脂等の材料により、薄い長方形の紙葉状に形成されている。
【００２３】
紙幣入出金機１０は、大きく分けて、全体の外側部分を構成する紙幣入出金機フレーム１０Ｆと、該紙幣入出金機フレーム１０Ｆにおける上下方向のほぼ中央よりも上側部分を占める上部ユニット１０Ｕと、その下側部分を占める下部ユニット１０Ｌとにより構成されている。
【００２４】
紙幣入出金機フレーム１０Ｆは、筐体２（図１）の内部に取り付けられている。上部ユニット１０Ｕ及び下部ユニット１０Ｌは、この紙幣入出金機フレーム１０Ｆに対し、それぞれ前後方向に沿ったスライドレール（図示せず）を介して取り付けられている。このため紙幣入出金機１０では、筐体２の前面扉２Ｄが開放された状態において、図３（Ａ）及び（Ｂ）に示すように、紙幣入出金機フレーム１０Ｆに対し上部ユニット１０Ｕ及び下部ユニット１０Ｌをそれぞれ前方へ引き出すことができる。また紙幣入出金機１０では、上部ユニット１０Ｕ及び下部ユニット１０Ｌを後方へ押し込むことにより、図２に示したように、紙幣入出金機フレーム１０Ｆ内にそれぞれ格納することができる。
【００２５】
［１−３．上部ユニットの構成］
図２に示すように上部ユニット１０Ｕには、全体を統括制御する紙幣制御部１１、接客部１２、上前搬送部１３、鑑別部１４、上後搬送部１５、一時保留部１６及びリジェクト庫１７が設けられている。
【００２６】
紙幣制御部１１は、主制御部９と同様、図示しないＣＰＵを中心に構成されており、図示しないＲＯＭやフラッシュメモリ等から所定のプログラムを読み出して実行することにより、紙幣の搬送先を決定する処理や各部の動作を制御する処理等、種々の処理を行う。また紙幣制御部１１は、内部にＲＡＭ及びフラッシュメモリ等でなる記憶部を有しており、この記憶部に種々の情報を記憶させる。
【００２７】
接客部１２は、使用者との間で紙幣を受け渡すことにより、該使用者に紙幣を入金させ、又は該使用者に紙幣を出金する。接客部１２は、紙幣を収容する収容器や、開口部を開閉するシャッタ、紙幣を１枚ずつに分離して繰り出す分離部、及び搬送されてきた紙幣を集積する集積部等を有している。この接客部１２は、使用者により紙幣が収容器に投入されると、シャッタを閉塞し、分離部により紙幣を１枚ずつに分離して、下側に位置する上前搬送部１３に順次引き渡す。また接客部１２は、後側の上後搬送部１５から紙幣が搬送されてくると、これを集積部により収容器内に順次放出して集積してから、シャッタを開放して使用者に受け取らせる。
【００２８】
上前搬送部１３は、上側の接客部１２、後側の鑑別部１４及び下側の下搬送部２１とそれぞれ接続される３本の搬送路を有しており、これらの接続部分に切替器が設けられている。この上前搬送部１３は、紙幣制御部１１の制御に基づき、接客部１２及び鑑別部１４を接続する搬送経路と、鑑別部１４及び下搬送部２１を接続する搬送経路とに搬送路を切り替える。
【００２９】
鑑別部１４は、接客部１２の下側且つ上前搬送部１３の後側に位置している。鑑別部１４は、その内部において、前後方向に沿った搬送路が形成され、この搬送路に沿って磁気センサ、イメージセンサ及び厚みセンサ等の複数のセンサが配置されている。この鑑別部１４は、搬送路に沿って搬送される紙幣から各センサにより得られる種々の検知結果を鑑別結果として紙幣制御部１１へ送出する。これに応じて紙幣制御部１１は、この鑑別結果を基に紙幣の金種、真偽、正損（損傷しているか否か）等を判断すると共に搬送状態を認識し、得られた結果を基に該紙幣の搬送経路や搬送先を決定する。
【００３０】
上後搬送部１５は、接客部１２及び鑑別部１４の後側に位置している。この上後搬送部１５は、接客部１２、鑑別部１４、一時保留部１６、リジェクト庫１７及び下搬送部２１とそれぞれ接続される複数本の搬送路が形成されており、各搬送路の接続箇所に切替器がそれぞれ設けられている。
【００３１】
この上後搬送部１５は、紙幣制御部１１の制御に基づき、鑑別部１４及び接客部１２を接続する搬送経路と、鑑別部１４及び一時保留部１６を接続する搬送経路と、鑑別部１４及び下搬送部２１を接続する搬送経路とに搬送路を切り替える。これに加えて上後搬送部１５は、一時保留部１６及び接客部１２を接続する搬送経路と、下搬送部２１及びリジェクト庫１７を接続する搬送経路とに搬送路を切り替える。
【００３２】
一時保留部１６は、いわゆるテープエスクロ方式を採用しており、円筒状に形成され回転するドラムや、このドラムの周側面に一端が固定されたテープ、このテープを他端側から巻き取るリール、及びテープを所定の走行路に沿って走行させるプーリ等を有している。この一時保留部１６は、上後搬送部１５から紙幣を受け取ると、ドラムを所定の巻取方向に回転させ、この紙幣をテープと共に周側面に巻き付けて収納する。また一時保留部１６は、ドラムを巻取方向と反対の巻戻方向に回転させると、該ドラムの周側面からテープと共に紙幣を引き剥がし、これを繰り出して上後搬送部１５に順次引き渡す。
【００３３】
リジェクト庫１７は、内部に紙幣を収納する収納空間を有すると共に、この収納空間内へ紙幣を放出する放出機構を有している。このリジェクト庫１７は、例えば損傷の程度が大きく出金すべきで無いと判断された紙幣（以下これをリジェクト紙幣と呼ぶ）を上後搬送部１５から受け取ると、この紙幣を放出機構により収納空間内へ放出し、集積した状態で収納する。
【００３４】
図３（Ａ）に示すように上部ユニット１０Ｕの前端近傍の下端部には、下部ユニット１０Ｌ（図３（Ｂ））の下部ユニット前受渡口Ｔ２１との間で紙幣を受け渡す上部ユニット前受渡口Ｔ１１が形成されている。また上部ユニット１０Ｕの後端近傍の下端部には、下部ユニット１０Ｌ（図３（Ｂ））の下部ユニット後受渡口Ｔ２２との間で紙幣を受け渡す上部ユニット後受渡口Ｔ１２が形成されている。
【００３５】
［１−４．下部ユニットの構成］
図２に示すように下部ユニット１０Ｌには、下搬送部２１及び紙幣収納庫２２（２２Ａ、２２Ｂ、２２Ｃ及び２２Ｄ）が設けられている。
【００３６】
下搬送部２１は、上前搬送部１３、鑑別部１４、上後搬送部１５及びリジェクト庫１７の下側に位置しており、ローラやベルト、或いはこれらを駆動するモータ等により、上前搬送部１３、上後搬送部１５及び４個の紙幣収納庫２２とそれぞれ接続された搬送路が形成されると共に、各搬送路の接続箇所に切替器がそれぞれ設けられている。この下搬送部２１は、紙幣制御部１１の制御に基づき、上前搬送部１３及び各紙幣収納庫２２を接続する搬送経路と、上後搬送部１５及び各紙幣収納庫２２を接続する搬送経路とに搬送路を切り替える。
【００３７】
紙幣収納庫２２は、前側から後側へ向けて、再利用（リサイクル）が可能な紙幣を収納する４個の紙幣収納庫２２（２２Ａ、２２Ｂ、２２Ｃ及び２２Ｄ）が前後方向に沿って配置されている。各紙幣収納庫２２は、上下方向に長い直方体状に形成されており、紙幣を集積して収納する収納空間、該収納空間の上側に配置され紙幣の分離処理及び放出処理を行う分離放出部等がその内部に設けられている。また各紙幣収納庫２２は、それぞれ収納すべき紙幣の金種が予め設定されている。紙幣収納庫２２は、紙幣を収納する収納処理を行う場合、上側の下搬送部２１から紙幣を受け取ると、この紙幣を収納庫搬送部により分離放出部へ搬送して収納空間内へ放出し、該収納空間内に集積した状態で収納する。また紙幣収納庫２２は、紙幣を繰り出す繰出処理を行う場合、収納空間内に集積された紙幣を分離放出部により１枚ずつに分離し、これを収納庫搬送部により上方へ搬送して上側の下搬送部２１に引き渡すことにより繰り出す。
【００３８】
図３（Ｂ）に示すように下部ユニット１０Ｌの前端近傍の上端部には、上部ユニット１０Ｕ（図３（Ａ））の上部ユニット前受渡口Ｔ１１との間で紙幣を受け渡す接続部としての下部ユニット前受渡口Ｔ２１が形成されている。また下部ユニット１０Ｌの後端近傍の上端部には、上部ユニット１０Ｕ（図３（Ａ））の上部ユニット後受渡口Ｔ１２との間で紙幣を受け渡す下部ユニット後受渡口Ｔ２２が形成されている。
【００３９】
紙幣入出金機１０は、紙幣入出金機フレーム１０Ｆ（図２）に上部ユニット１０Ｕ及び下部ユニット１０Ｌが格納されることにより、その前端近傍において上部ユニット前受渡口Ｔ１１及び下部ユニット前受渡口Ｔ２１（図３）を接続し、これにより両者の間で紙幣を受け渡す前接続口Ｃ１（図２）を形成している。またこのとき紙幣入出金機１０は、その後端近傍において、上部ユニット後受渡口Ｔ１２及び下部ユニット後受渡口Ｔ２２（図３）を接続し、これにより両者の間で紙幣を受け渡す後接続口Ｃ２（図２）を形成している。
【００４０】
［１−５．下搬送部の構成］
図４及び図５に示すように下搬送部２１は、箱状である下搬送部フレーム２１Ｆに各種部品が取り付けられている。なお図４は後述するカバー６０が下搬送部フレーム２１Ｆに装着された状態であるカバー装着状態を、図５はカバー６０が下搬送部フレーム２１Ｆから取り外された状態であるカバー離脱状態をそれぞれ示している。
【００４１】
下搬送部フレーム２１Ｆの左右内側にはモータ３０が取り付けられている。モータ３０の出力軸は、下搬送部フレーム２１Ｆの左側壁に設けられた孔部を貫通して下搬送部フレーム２１Ｆよりも左方まで突出している。下搬送部フレーム２１Ｆの内部には、紙幣を搬送する搬送機構２４が設けられている。搬送機構２４は、主にドライブシャフト４６、ドライブローラ４８、搬送ベルト５０、アイドルローラ５２、後側ドライブシャフト４０及び後側ドライブローラ４１により構成されており、紙幣を搬送する搬送路を形成し、これらが適宜回転することにより紙幣を搬送する。なお図４及び図５においては搬送機構２４のうちの一部分を示し、それ以外は省略する。
【００４２】
下搬送部フレーム２１Ｆの左右外側には、モータ３０の駆動力を搬送機構２４へ伝達させる下搬送部駆動伝達部３４が設けられている。下搬送部駆動伝達部３４は、モータプーリ３２、後側タイミングベルト３６、後側プーリ３８、前側タイミングベルト４２及びノブ付きプーリ４４により構成されている。
【００４３】
モータプーリ３２は、歯車状でありモータ３０の出力軸に固定されており、外周面に後側タイミングベルト３６の後端を架設している。後側タイミングベルト３６は、後端に配置されたモータプーリ３２と前端に配置された後側プーリ３８との周囲に掛け回され前後方向に延在する無端ベルトであり、モータプーリ３２の回転に伴って回転し、回転力を後側プーリ３８へ伝達する。後側プーリ３８は、歯車状であり下搬送部フレーム２１Ｆの前後方向のほぼ中間部分に配され、外周面に後側タイミングベルト３６の前端を架設しており、後側ドライブシャフト４０に固定され後側ドライブシャフト４０を軸として回転自在に設けられている。また後側プーリ３８は、外周面における後側タイミングベルト３６よりも右側に、前側タイミングベルト４２の後端を架設している。後側ドライブシャフト４０は、円筒状であり左右方向に沿って延在し左右端部が下搬送部フレーム２１Ｆに支持されており、下搬送部フレーム２１Ｆの左側壁に設けられた孔部を貫通して下搬送部フレーム２１Ｆよりも左方まで延設している。後側ドライブローラ４１は、下搬送部フレーム２１Ｆの左右内側において、後側ドライブシャフト４０を軸として回転自在に、紙幣の長辺方向の長さよりも短い間隔を空けて左右に並び２個設けられている。この後側ドライブローラ４１は、主に下搬送部２１における後側半分に配置されたローラ及び搬送ベルトに回転力を伝達させることにより、下部ユニット後受渡口Ｔ２２（図３（Ｂ））近傍を搬送される紙幣を搬送させる。
【００４４】
前側タイミングベルト４２は、後端に配置された後側プーリ３８と前端に配置されたノブ付きプーリ４４のプーリ部４４Ｐとの周囲に掛け回され前後方向に延在する無端ベルトであり、後側プーリ３８の回転に伴って回転し、回転力をノブ付きプーリ４４へ伝達する。
【００４５】
ノブ付きプーリ４４は、下搬送部フレーム２１Ｆの前端部近傍（すなわち開口部側端部近傍）に配され、外周面に前側タイミングベルト４２の前端を架設しており、ドライブシャフト４６に固定され該ドライブシャフト４６を軸として回転自在に設けられている。ドライブシャフト４６は、円筒状であり左右方向に沿って延在し左右端部が下搬送部フレーム２１Ｆに支持されており、下搬送部フレーム２１Ｆの左側壁に設けられた孔部を貫通して下搬送部フレーム２１Ｆよりも左方まで延設している。このドライブシャフト４６は、下搬送部２１に複数存在するドライブシャフトのうち、最前面に配置されているドライブシャフトである。ドライブローラ４８は、下搬送部フレーム２１Ｆの左右内側において、ドライブシャフト４６を軸として回転自在に、紙幣の長辺方向の長さよりも短い間隔を空けて左右に並び２個設けられている。このドライブローラ４８は、外周面に搬送ベルト５０の前端を架設している。またこのドライブローラ４８は、主に下搬送部２１における前側半分に配置された搬送ベルト５０及びアイドルローラ５２に回転力を伝達させることにより、下部ユニット前受渡口Ｔ２１（図３（Ｂ））近傍を搬送される紙幣を搬送させる。このようにノブ付きプーリ４４は、ドライブシャフト４６と連動しており、保守作業等の際に作業者に手動で回転されると、その力をドライブシャフト４６を介し搬送ベルト５０へ伝達して該搬送ベルト５０を回転させ、紙幣を搬送させる。
【００４６】
搬送ベルト５０は、後端に配置されたアイドルローラ５２と前端に配置されたドライブローラ４８との周囲に掛け回され前後方向に延在する無端ベルトであり、このドライブローラ４８が回転することにより、その下面を前後方向に沿って走行させる。
【００４７】
アイドルローラ５２は、外周面に搬送ベルト５０の後端を架設しており、左右方向に沿うアイドルシャフトを軸に搬送ベルト５０に連れて回転する。また下搬送部フレーム２１Ｆの左右内側には、後側ドライブローラ４１、ドライブローラ４８及び搬送ベルト５０と対向するよう複数のアイドルローラが設けられており、左右方向に沿うアイドルシャフトを軸に回転可能で且つ対向する後側ドライブローラ４１、ドライブローラ４８及び搬送ベルト５０に対し離接する方向へ移動可能に下搬送部フレーム２１Ｆに取り付けられており、対向する後側ドライブローラ４１、ドライブローラ４８及び搬送ベルト５０に連れて回転する。またこれらのアイドルローラは、図示しない圧縮ばねである付勢部材により対向する後側ドライブローラ４１、ドライブローラ４８及び搬送ベルト５０へ向けて付勢されている。
【００４８】
かかる構成において下搬送部２１がモータ３０を回転させると、その回転力がモータプーリ３２、後側タイミングベルト３６、後側プーリ３８及び後側ドライブシャフト４０を介して後側ドライブローラ４１へ伝達することにより、下搬送部２１の後側部分に位置する紙幣を搬送させると共に、モータプーリ３２、後側タイミングベルト３６、後側プーリ３８、前側タイミングベルト４２、ノブ付きプーリ４４及びドライブシャフト４６を介してドライブローラ４８へ伝達することにより、下搬送部２１の前側部分に位置する紙幣を搬送させる。
【００４９】
［１−６．ノブ付きプーリの構成］
ノブ付きプーリ４４は、全体として略円筒状に形成されると共に、プーリ部４４Ｐとノブ部４４Ｋとが一体に形成されており、ドライブシャフト４６における下搬送部フレーム２１Ｆよりも左方まで突出した箇所に、ドライブシャフト４６と同軸となるように直接取り付けられている。プーリ部４４Ｐは、歯車状であり、ノブ付きプーリ４４の右側端部に形成されており、外周面に前側タイミングベルト４２の前端を架設している。操作ノブとしてのノブ部４４Ｋは、プーリ部４４Ｐとほぼ同様の直径及び厚さの円板状であり、作業者が指先で触れた際の滑り止めとなる溝が外周面の全周に亘り形成されている。
【００５０】
作業者がノブ部４４Ｋに開口側から触れることによりノブ付きプーリ４４が一回転方向へ回転操作されると、これに連動させて下部ユニット前受渡口Ｔ２１近傍に位置するドライブローラ４８が一方向へ回転する。このためドライブローラ４８の一方向への回転に伴って、搬送ベルト５０及びアイドルローラ５２が一回転方向へ回転し、紙幣を一方向へ移動させる。
【００５１】
一方作業者がノブ部４４Ｋに開口側から触れることによりノブ付きプーリ４４が他回転方向へ回転操作されると、これに連動させて下部ユニット前受渡口Ｔ２１近傍に位置するドライブローラ４８が他方向へ回転する。このためドライブローラ４８の他方向への回転に伴って、搬送ベルト５０及びアイドルローラ５２が他回転方向へ回転し、紙幣を他方向へ移動させる。
【００５２】
すなわち紙幣入出金機１０は、作業者にノブ付きプーリ４４を一回転方向や他回転方向へ回転操作させるようにして、搬送機構２４における下部ユニット前受渡口Ｔ２１の近傍に位置するドライブローラ４８や搬送ベルト５０等を手動で駆動させることができる。これにより紙幣入出金機１０は、下搬送部２１の搬送路における下部ユニット前受渡口Ｔ２１近傍で紙幣が詰まるジャムが発生した場合、作業者によりノブ付きプーリ４４が一回転方向や他回転方向へ回転操作されると、搬送路上のジャム紙幣や、これと共に留まっている他の紙幣を同一方向へ搬送させることができる。
【００５３】
［１−７．カバーの構成］
下搬送部フレーム２１Ｆの左側面には、板状に形成され下搬送部駆動伝達部３４を覆うカバー６０が取り付けられている。カバー６０は、下搬送部フレーム２１Ｆの左側面と当接する右側面が開口する略箱型に形成されており、それぞれ上側に天板６０Ｔが、下側に底板６０Ｄが、後側に後面板６０Ｂが、左側に側面板６０Ｌが、前側に前面板６０Ｆが形成されていると共に、これら天板６０Ｔ、底板６０Ｄ、後面板６０Ｂ、側面板６０Ｌ及び前面板６０Ｆにより囲まれる被覆空間が形成されている。この被覆空間は、ノブ付きプーリ４４のノブ部４４Ｋを除いて下搬送部駆動伝達部３４の上側、下側、後側、左側及び前側を完全に覆う程度の大きさに形成されている。このためカバー６０は、下搬送部駆動伝達部３４を外部に露出しないように覆うことにより、該下搬送部駆動伝達部３４を作業者によって手がかけられないように保護している。
【００５４】
カバー６０は、前端部の左側において、カバー開口部６２が形成されている。カバー開口部６２は、カバー６０の前端からプーリ部４４Ｐよりも後側までに亘って前後方向に沿ってカバー６０の左側部分が上端部から下端部まで切り欠かれたような形状である。これによりカバー６０は、カバー６０におけるカバー開口部６２よりも後側に位置する後側覆い部６６と、カバー開口部６２の右側に位置する前側覆い部６４とを有している。
【００５５】
前側覆い部６４は、下搬送部フレーム２１Ｆの左端面からノブ付きプーリ４４のノブ部４４Ｋの右端部よりも右側までを、天板６０Ｔ、底板６０Ｄ及び前面板６０Ｆにより覆っている。このためカバー６０は、ノブ部４４Ｋにおける上側、下側、左側及び前側には設けられていない。後側覆い部６６は、下搬送部フレーム２１Ｆの左側面から、後側タイミングベルト３６の左端部までを、天板６０Ｔ、底板６０Ｄ、側面板６０Ｌ及び後面板６０Ｂにより覆っている。
【００５６】
カバー開口部６２は、ノブ部４４Ｋの前面側を外部に露出させることにより、下部ユニット１０Ｌが筐体２（図２）に収納された状態において、すなわち筐体２から下部ユニット１０Ｌが引き出されていない状態においても、開口側（前側）から作業者によってノブ部４４Ｋを操作可能にしている。またカバー開口部６２は、ノブ部４４Ｋの保守面側（左側）を外部に露出させることにより、下部ユニット１０Ｌが筐体２から引き出された状態において、保守面側から作業者によってノブ部４４Ｋを操作可能にもしている。
【００５７】
このようにカバー６０は、ノブ部４４Ｋの保守面側に加えて前側も外部に露出させることにより、下搬送部駆動伝達部３４を隠蔽して操作不能にすると共に、作業者に対し保守面側からだけでなく前側からもノブ部４４Ｋを回転操作可能にしている。
【００５８】
［１−８．ジャム紙幣の除去］
かかる構成において、図２に示すように前接続口Ｃ１においてジャム紙幣ＢＬが詰まった場合、現金自動預払機１は、作業者によって前面扉２Ｄが開放されることにより、ノブ付きプーリ４４のノブ部４４Ｋを開口側から操作可能な状態となる。続いて現金自動預払機１は、ノブ付きプーリ４４のノブ部４４Ｋが開口側から作業者によって回転操作されることにより、ドライブローラ４８を回転させ、ジャム紙幣ＢＬを例えば下部ユニット１０Ｌ側へ移動させる。このときジャム紙幣ＢＬの上端部は、上部ユニット１０Ｕの上部ユニット前受渡口Ｔ１１（図３（Ａ））よりも下側に位置している。これにより現金自動預払機１は、ジャム紙幣ＢＬが上部ユニット１０Ｕ及び下部ユニット１０Ｌにまたがった状態を解消し、上部ユニット１０Ｕ及び下部ユニット１０Ｌを筐体２から引き出し可能な状態とする。続いて現金自動預払機１は、作業者により下部ユニット１０Ｌが引き出され、外部に露出した下部ユニット前受渡口Ｔ２１（図３（Ｂ））からジャム紙幣ＢＬが下部ユニット１０Ｌ内部から除去される。
【００５９】
［１−９．効果等］
以上の構成において現金自動預払機１は、下部ユニット１０Ｌにおける開口側の端部近傍に配されたドライブシャフト４６と同軸に、ドライブシャフト４６を回転させるノブ付きプーリ４４を設けるようにした。このため現金自動預払機１は、下部ユニット１０Ｌを筐体２から作業者に引き出させることなく、下部ユニット１０Ｌを筐体２に収納した状態のまま、ノブ付きプーリ４４のノブ部４４Ｋを開口側から作業者に操作させることができる。これにより現金自動預払機１は、上部ユニット１０Ｕと下部ユニット１０Ｌとの両方のユニット間にまたがって紙幣が残留している場合に、上部ユニット１０Ｕ又は下部ユニット１０Ｌのどちらか一方のみに紙幣の全体が位置するように紙幣を移動させることができ、下部ユニット１０Ｌを筐体２から作業者に引き出さなくても、上部ユニット１０Ｕと下部ユニット１０Ｌとの両方のユニット間にまたがって紙幣が残留している状態を解消できる。
【００６０】
このため現金自動預払機１は、上部ユニット１０Ｕと下部ユニット１０Ｌとの両方のユニット間にまたがって紙幣が残留している状態のまま上部ユニット１０Ｕ又は下部ユニット１０Ｌが筐体２から無理矢理引き出されて紙幣が破けてしまうことを防ぎ、両方のユニット間にまたがって紙幣が残留している状態を解消してから下部ユニット１０Ｌを筐体２から引き出させてジャム紙幣を除去させることができる。
【００６１】
また現金自動預払機１は、下搬送部駆動伝達部３４の一部であるプーリ部４４Ｐと一体にノブ部４４Ｋを形成するようにした。このため現金自動預払機１は、ノブ付きプーリ４４をプーリ部４４Ｐのみと同一形状であり従来から設けられているプーリに対し、ノブ部４４Ｋを追加しただけの構成で済ませることができ、必要以上に構成を複雑化させないようにできる。
【００６２】
また現金自動預払機１は、ノブ部４４Ｋが形成されているノブ付きプーリ４４をドライブシャフト４６と同軸に設け、ドライブシャフト４６に直結させるようにした。このため現金自動預払機１は、例えばノブ部をプーリ部とは別軸で別体に形成しノブ部とドライブシャフト４６との間にアイドルギアを設けノブ部の回転力をアイドルギアを介してドライブシャフト４６に伝達させる場合と比較して、アイドルギアや、ノブ部からドライブシャフト４６へ回転力を伝達させないための連結解除部材である板金、ローラやスプリング等が不要になり、必要以上に構成を複雑化させないようにできる。
【００６３】
ここで現金自動預払機１においては、前接続口Ｃ１を入金処理及び出金処理等において頻繁に紙幣が通過するものの、後接続口Ｃ２を紙幣が通過するのは、例えば紙幣収納庫２２Ａから紙幣収納庫２２Ｄへ紙幣を移動させる紙幣移動処理等の場合である。このため現金自動預払機１においては、後接続口Ｃ２よりも前接続口Ｃ１の方が多くの紙幣が通過することとなる。また現金自動預払機１は、入金処理において外部から傷んだり変形したりする紙幣が投入される。このため現金自動預払機１は、後接続口Ｃ２よりも前接続口Ｃ１の方が、紙幣が詰まってしまう可能性が高い。
【００６４】
これに対し現金自動預払機１は、前接続口Ｃ１を搬送される紙幣に当接するドライブローラ４８を回転させるノブ付きプーリ４４を設けるようにしたが、後接続口Ｃ２近傍に詰まった紙幣を除去するようなノブ付きプーリを設けなくても、実際の運用上は大きな問題が起きる可能性は低い。
【００６５】
また従来の現金自動預払機においては、紙幣が内部に詰まった際に作業者が前面扉２Ｄを開けると、前接続口Ｃ１近傍に詰まっている紙幣が外部から視認できるにも関わらず、上部ユニット１０Ｕ又は下部ユニット１０Ｌを筐体２から引き出してジャム紙幣を除去することができず、作業者にストレスになっていた。
【００６６】
これに対し現金自動預払機１は、前接続口Ｃ１を搬送される紙幣に当接するドライブローラ４８を回転させるノブ付きプーリ４４を設けるようにした。このため現金自動預払機１は、外部から視認できている紙幣を、上部ユニット１０Ｕや下部ユニット１０Ｌを筐体２から引き出すことなくノブ付きプーリ４４のノブ部４４Ｋを直接触手で回転させるだけで作業者によって移動させることができ、視認できているのにジャム紙幣を除去できないというストレスを作業者に与えないようにすることができる。
【００６７】
以上の構成によれば現金自動預払機１は、紙葉状の媒体としての紙幣に関する取引を受け付ける応対部３と、内部空間と外部とを連通させる開口側としての前側に形成された開口部としての筐体開口部２Ａを開閉可能な扉としての前面扉２Ｄが形成された筐体２と、筐体２の内部に対し引き出し及び収納可能に形成された上部ユニット１０Ｕ及び下部ユニット１０Ｌと、上部ユニット１０Ｕ及び下部ユニット１０Ｌの少なくとも何れか一方である下部ユニット１０Ｌに設けられ、ローラとしてのドライブローラ４８を回転させることにより紙幣を搬送する搬送機構２４と、下部ユニット１０Ｌにおける開口側の端部近傍に設けられ、ドライブローラ４８を回転させるノブ付きプーリ４４とを設けるようにした。
【００６８】
これにより現金自動預払機１は、開口側から容易にノブ付きプーリ４４のノブ部４４Ｋを作業者に操作させることにより搬送機構２４のドライブシャフト４６及びドライブローラ４８を回転させてジャム紙幣を搬送機構２４において移動させ上部ユニット１０Ｕ及び下部ユニット１０Ｌとの間にまたがらない状態にし、ジャム紙幣が残留している側のユニットを筐体２から引き出させてジャム紙幣を除去させることができる。
【００６９】
［２．他の実施の形態］
なお上述した実施の形態においては、ノブ付きプーリ４４を下部ユニット１０Ｌに設ける場合について述べた。本発明はこれに限らず、例えば、ノブ付きプーリ４４を上部ユニット１０Ｕにおけるドライブシャフトと同軸に設けても良く、また、下部ユニット１０Ｌのノブ付きプーリ４４に加えて、上部ユニット１０Ｕにノブ付きプーリを設けても良い。
【００７０】
また上述した実施の形態においては、ノブ部４４Ｋとプーリ部４４Ｐとが一体となったノブ付きプーリ４４を設ける場合について述べた。本発明はこれに限らず、例えば、ノブ部４４Ｋとプーリ部４４Ｐとは一体となっていなくても良い。要は、ノブ部４４Ｋが回転操作された際に種々の機構により回転力がプーリ部４４Ｐに伝達されれば良い。
【００７１】
さらに上述した実施の形態においては、ドライブシャフト４６の同軸上にノブ付きプーリ４４のノブ部４４Ｋを直付する場合について述べた。本発明はこれに限らず、例えば、ノブ部４４Ｋをプーリ部４４Ｐとは別体に構成し、ノブ部４４Ｋとドライブシャフト４６との間に所定個数のアイドルギアを設け、ノブ部４４Ｋを回転させた回転力を、該アイドルギアを介してドライブシャフト４６に伝達させても良い。その場合、ノブ部４４Ｋの回転が伝達されるドライブシャフトは、例えば、紙幣入出金機１０における開口側端部の近傍に配置されていなくても良く、要は、操作者が手動で操作しやすいように、ノブ部４４Ｋが紙幣入出金機１０における開口側端部の近傍に配置されていれば良い。
【００７２】
さらに上述した実施の形態においては、紙幣入出金機１０の前端近傍に位置する前接続口Ｃ１近傍で紙幣を搬送するドライブローラ４８をノブ付きプーリ４４により駆動する場合について述べた。本発明はこれに限らず、例えば、紙幣入出金機１０の後端近傍に位置する後接続口Ｃ２近傍で紙幣を搬送する後側ドライブローラ４１をノブ付きプーリ４４により駆動しても良い。
【００７３】
さらに上述した実施の形態においては、ノブ付きプーリ４４にノブ部４４Ｋ及びプーリ部４４Ｐを設ける場合について述べた。本発明はこれに限らず、例えば、ノブ付きプーリ４４にはプーリ部４４Ｐのみを設けてノブ部４４Ｋを省略し、プーリ部４４Ｐに架設された前側タイミングベルト４２の外周面の前側を作業者に開口側から操作させても良い。要は下部ユニット１０Ｌが筐体２から引き出されていない状態であってもドライブシャフト４６を手動で回転させることができるローラ手動駆動部を設ければ良い。
【００７４】
さらに上述した実施の形態においては、ノブ付きプーリ４４を下搬送部フレーム２１Ｆの左側面にのみ設ける場合について述べた。本発明はこれに限らず、例えば、ノブ付きプーリ４４に加えて、下搬送部フレーム２１Ｆの右側面の開口側にノブ付きプーリを別個で設け、このノブ付きプーリにより後接続口Ｃ２近傍で紙幣を搬送するドライブローラを駆動しても良い。
【００７５】
さらに上述した実施の形態においては、カバー６０のカバー開口部６２はノブ付きプーリ４４のノブ部４４Ｋの前側及び左側を外部に露出させる場合について述べた。本発明はこれに限らず、例えば、カバー６０のカバー開口部６２はノブ付きプーリ４４のノブ部４４Ｋの少なくとも前側を外部に露出させれば良い。またカバー６０のカバー開口部６２は例えば、ノブ付きプーリ４４のノブ部４４Ｋに加えてプーリ部４４Ｐの前側を外部に露出させ、プーリ部４４Ｐに架設されている前側タイミングベルト４２の外周面を作業者に回転操作されることによりドライブシャフト４６を回転可能にしても良い。
【００７６】
さらに上述した実施の形態においては、カバー６０を設ける場合について述べた。本発明はこれに限らず、例えば、カバー６０を設けず省略しても良い。
【００７７】
さらに上述した実施の形態においては、上部ユニット１０Ｕと下部ユニット１０Ｌとが上下方向に配置される場合について述べた。本発明はこれに限らず、例えば、ユニットが右ユニット及び左ユニット（図示せず）のように左右方向に配置され、搬送ベルト等は左右方向又は前後方向に沿って配置されても良く、さらに３ユニット以上のユニットが左右方向に配置されても良く、さらには３ユニット以上のユニットが左右方向及び上下方向に配置されても良い。
【００７８】
さらに上述した実施の形態においては、下部ユニット１０Ｌ及び上部ユニット１０Ｕの２つのユニットを有する紙幣入出金機１０に本発明を適用する場合について述べた。本発明はこれに限らず、例えば、３つ以上の任意の個数のユニットを有する紙幣入出金機１０に本発明を適用しても良い。
【００７９】
さらに上述した実施の形態においては、筐体２の前面側にのみ前面扉２Ｄが設けられる場合について述べた。本発明はこれに限らず、例えば、筐体２の前面側に加えて例えば後面側にも扉が設けられ、紙幣入出金機１０の後面側端部近傍に、ノブ付きプーリが設けられていても良い。
【００８０】
さらに上述した実施の形態においては、顧客との間で紙幣に関する取引処理を行う現金自動預払機１の紙幣入出金機１０に本発明を適用する場合について述べた。本発明はこれに限らず、例えば各種金券や証券等、或いは入場券や乗車券のような種々の紙葉状の媒体を取り扱う種々の装置に本発明を適用しても良い。
【００８１】
さらに上述した実施の形態においては、利用者応対部としての応対部３と、筐体としての筐体２と、複数のユニットとしての上部ユニット１０Ｕ及び下部ユニット１０Ｌと、搬送部としての搬送機構２４と、ローラ手動駆動部としてのノブ付きプーリ４４とによって媒体取引装置としての現金自動預払機１を構成する場合について述べた。本発明はこれに限らず、例えば、その他種々の構成でなる利用者応対部と、筐体と、複数のユニットと、搬送部と、ローラ手動駆動部とによって媒体取引装置を構成しても良い。
【００８２】
なお、他の実施の形態について説明したが、各段落で説明した他の実施の形態のうち１又は２以上の他の実施の形態の構成を組み合せ、本実施の形態の構成に適用することも可能である。
【産業上の利用可能性】
【００８３】
本発明は、例えば使用者との間で紙幣に関する入金取引や出金取引を行う現金自動預払機に組み込まれる紙幣入出金機で利用できる。
【符号の説明】
【００８４】
１……現金自動預払機、２……筐体、２Ａ……筐体開口部、２Ｄ……前面扉、３……応対部、４……カード入出口、５……入出金口、６……操作表示部、７……テンキー、８……レシート発行口、９……主制御部、１０……紙幣入出金機、１０Ｆ……紙幣入出金機フレーム、１０Ｌ……下部ユニット、１０Ｕ……上部ユニット、１１……紙幣制御部、１２……接客部、１３……上前搬送部、１４……鑑別部、１５……上後搬送部、１６……一時保留部、１７……リジェクト庫、２１……下搬送部、２１Ｆ……下搬送部フレーム、２２……紙幣収納庫、２４……搬送機構、３０……モータ、３２……モータプーリ、３４……下搬送部駆動伝達部、３６……後側タイミングベルト、３８……後側プーリ、４０……後側ドライブシャフト、４１……後側ドライブローラ、４２……前側タイミングベルト、４４……ノブ付きプーリ、４４Ｋ……ノブ部、４４Ｐ……プーリ部、４６……ドライブシャフト、４８……ドライブローラ、５０……搬送ベルト、５２……アイドルローラ、６０……カバー、６０Ｔ……天板、６０Ｄ……底板、６０Ｂ……後面板、６０Ｌ……側面板、６０Ｆ……前面板、６２……カバー開口部、６４……前側覆い部、６６……後側覆い部、Ｃ１……前接続口、Ｃ２……後接続口、Ｔ１１……上部ユニット前受渡口、Ｔ１２……上部ユニット後受渡口、Ｔ２１……下部ユニット前受渡口、Ｔ２２……下部ユニット後受渡口。
【図１】
2019204220.tif 000003
【図２】
2019204220.tif 000004
【図３】
2019204220.tif 000005
【図４】
2019204220.tif 000006
【図５】
2019204220.tif 000007